(57)【特許請求の範囲】
【請求項１】
遊技機本体の前部に、閉状態で所定の解錠操作により解除可能な状態にロックされる扉体と、前記扉体の下側に隣接して配置される下部構造体とを備え、前記下部構造体上に、遊技者が操作可能な操作手段を有する操作ユニットを着脱可能に装着した遊技機において、前記操作ユニットの前記遊技機本体からの離脱を阻止する離脱阻止手段を、所定の解除操作部を操作することにより解除可能な状態で固定する一又は複数の固定手段と、前記操作ユニットを所定の解除操作部を操作することにより解除可能な状態で固定する一又は複数の操作ユニット固定手段とを備え、前記操作ユニット固定手段の前記解除操作部を所定部により操作不可能な状態に覆うように前記離脱阻止手段を配置し、前記固定手段を、前記離脱阻止手段における前記所定部以外の位置であって、前記扉体を閉じた状態ではその扉体の所定部位によって前記固定手段の前記解除操作部が操作不可能な状態となり、前記扉体を開いた状態では前記固定手段の前記解除操作部が前記所定部位から離れて操作可能な状態となる位置に配置したことを特徴とする遊技機。
【請求項２】
前記操作ユニットは、前記操作手段を備えた複数の個別ユニットと、それら複数の個別ユニットを互いに連結する連結部材とを備え、前記個別ユニットは前記連結部材に対して個別に着脱自在に固定されていることを特徴とする請求項１に記載の遊技機。
【請求項３】
前記操作ユニットを前記遊技機本体に装着した状態では前記各個別ユニットの前記連結部材への着脱を行うことができないように構成されていることを特徴とする請求項２に記載の遊技機。
【請求項４】
前記複数の個別ユニットを夫々前記遊技機本体に固定したことを特徴とする請求項２又は３に記載の遊技機。
【発明の詳細な説明】
【技術分野】
【０００１】
本発明は、遊技者が操作可能な演出用その他の操作手段を備えた遊技機に関するものである。
【背景技術】
【０００２】
パチンコ機等の遊技機では、遊技者の遊技への関与意識を高めて興趣を増大させるべく、発射ハンドル等とは別に、チャンスボタンと呼ばれる押しボタンや十字キー等の操作手段を遊技機本体の前側に配置し、遊技者によるそれら操作手段の操作に応じて演出内容を変化させる、いわゆるボタン演出の機能を搭載したものが多くなっている。
【０００３】
ところで、このチャンスボタン等の操作手段は、興奮状態の遊技者によって乱暴に操作される場合が多いことなどもあり、故障や破損等の不具合が比較的発生しやすくなっている。従来の遊技機では、チャンスボタン等の操作手段は他の部品、例えば貯留皿ユニット等に組み込まれており、その操作手段のみを着脱することは容易ではなかったため、操作手段に不具合が発生した場合には、操作手段以外の部品も多数搭載されている例えば貯留皿ユニットごと交換するのが通常であった。
【０００４】
しかしながら、操作手段の不具合だけで例えば貯留皿ユニットごと交換するのは不経済であるため、例えば特許文献１に記載の弾球遊技機では、操作手段とそれに付随する部品のみをユニット化し、その操作ユニットを貯留皿ユニット等に対して着脱可能に装着することにより、操作手段の交換を低コスト且つ容易に行うことができるようになっている。
【先行技術文献】
【特許文献】
【０００５】
【特許文献１】特開２００６−１８７４３４号公報
【発明の概要】
【発明が解決しようとする課題】
【０００６】
特許文献１に記載の弾球遊技機では、操作ユニットを遊技機の前側からドライバー一本で簡単に取り外すことができるため、一般の遊技者も悪意があれば操作ユニットを無断で取り外して持ち帰ることも可能であり、そのようないたずらを未然に防止すべく遊技ホール側の監視負担が増加する等の問題があった。
【０００７】
本発明は上記事情に鑑みてなされたものであり、関係者のみが操作ユニットを容易に着脱することが可能な遊技機を提供することを目的とする。
【課題を解決するための手段】
【０００８】
本発明は、遊技機本体１の前部に、閉状態で所定の解錠操作により解除可能な状態にロックされる扉体３１と、前記扉体３１の下側に隣接して配置される下部構造体３２とを備え、前記下部構造体３２上に、遊技者が操作可能な操作手段７９，８１を有する操作ユニット５４を着脱可能に装着した遊技機において、前記操作ユニット５４の前記遊技機本体１からの離脱を阻止する離脱阻止手段５２を、所定の解除操作部６４ａを操作することにより解除可能な状態で固定する一又は複数の固定手段６４と、前記操作ユニット５４を所定の解除操作部１１２ａを操作することにより解除可能な状態で固定する一又は複数の操作ユニット固定手段１１２とを備え、前記操作ユニット固定手段１１２の前記解除操作部１１２ａを所定部により操作不可能な状態に覆うように前記離脱阻止手段５２を配置し、前記固定手段６４を、前記離脱阻止手段５２における前記所定部以外の位置であって、前記扉体３１を閉じた状態ではその扉体３１の所定部位によって前記固定手段６４の前記解除操作部６４ａが操作不可能な状態となり、前記扉体３１を開いた状態では前記固定手段６４の前記解除操作部６４ａが前記所定部位から離れて操作可能な状態となる位置に配置したものである。
【００１２】
また、前記操作ユニット５４は、前記操作手段７９，８１を備えた複数の個別ユニット８８，８９と、それら複数の個別ユニット８８，８９を互いに連結する連結部材９０とを備え、前記個別ユニット８８，８９は前記連結部材９０に対して個別に着脱自在に固定してもよい。このとき、前記操作ユニット５４を前記遊技機本体１に装着した状態では前記各個別ユニット８８，８９の前記連結部材９０への着脱を行うことができないように構成することが望ましい。また、前記複数の個別ユニット８８，８９を夫々前記遊技機本体１に固定してもよい。
【発明の効果】
【００１３】
本発明によれば、扉体３１の解錠操作を行うことができない一般の遊技者等が操作ユニット５４を無断で取り外すことはできず、関係者のみが操作ユニット５４を容易に着脱することが可能となる。
【図面の簡単な説明】
【００１４】
【図１】本発明の第１の実施形態に係るパチンコ機の全体正面図である。
【図２】同パチンコ機の分解斜視図である。
【図３】同パチンコ機の平面断面図である。
【図４】同パチンコ機の要部側面断面図である。
【図５】同パチンコ機の要部正面断面図である。
【図６】同パチンコ機の操作ユニット及び内操作パネルカバーの斜視図である。
【図７】同パチンコ機の操作ユニットの分解斜視図である。
【図８】同パチンコ機の操作ユニットの装着手順の第１工程（操作ユニットの固定工程）を示す図である。
【図９】同パチンコ機の操作ユニットの装着手順の第２工程（上操作パネルカバーの固定工程）を示す図である。
【図１０】同パチンコ機の操作ユニットの装着完了後の状態を示す図である。
【図１１】本発明の第２の実施形態に係るパチンコ機の要部側面断面図である。
【発明を実施するための形態】
【００１５】
以下、本発明の実施形態を図面に基づいて詳述する。図１〜図１０は本発明をパチンコ機に採用した第１の実施形態を例示している。図１及び図２において、遊技機本体１は、矩形状の外枠２と、この外枠２の前面側に着脱、開閉自在に枢着された内枠３とを備えている。
【００１６】
外枠２はその前面側の下端部に左右方向に配置された前下枠板４を有し、この前下枠板４の上側に内枠３が配置されている。内枠３は例えば合成樹脂製で、外枠２の前面側に当接する矩形状の外周枠５と、この外周枠５の内側上部に設けられた遊技盤装着枠６と、この遊技盤装着枠６の下側で外周枠５の内側下部に設けられた下セット板７とを一体に備え、外周枠５の左右一端側（ここでは左端側）が例えば上下一対のヒンジ手段８により外枠２に着脱、開閉自在に枢着されている。また、内枠３は施錠手段９により外枠２に対して閉状態でロックされ、所定方向へのキー操作によりそのロックを解除可能となっている。
【００１７】
下セット板７には、例えばその左右方向略中央に発射手段１０が、その発射手段１０の右側に下部スピーカ１１が配置されている。また、遊技盤装着枠６には前側から遊技盤１２が着脱自在に装着されている。遊技盤１２の前面側には、発射手段１０から発射された遊技球を案内するガイドレール１３が環状に装着されると共に、そのガイドレール１３の内側の遊技領域１２ａに、センターケース１４、普通図柄始動手段１５、特別図柄始動手段１６、大入賞手段１７、普通入賞手段１８等の各種遊技部品が配置されている。
【００１８】
センターケース１４は、液晶式その他の画像表示手段２１に対応する表示窓２２が形成された表示枠体２３を備え、この表示枠体２３上に、普通図柄表示手段２４、特別図柄表示手段２５等が設けられている。また、画像表示手段２１は、演出図柄表示手段２６等を構成している。
【００１９】
普通図柄表示手段２４は、通過ゲート等よりなる普通図柄始動手段１５が遊技球を検出することを条件に普通図柄を所定時間変動させ、普通図柄始動手段１５による遊技球検出時に取得された当たり判定乱数値が予め定められた当たり判定値と一致する場合には当たり態様で、それ以外の場合には外れ態様で変動を停止させるようになっている。
【００２０】
特別図柄始動手段１６は、特別図柄表示手段２５による図柄変動を開始させるためのもので、例えば非開閉式の上特別始動口１６ａと開閉式の下特別始動口１６ｂとを備えており、普通図柄表示手段２４の変動後の停止図柄が当たり態様となって普通利益状態が発生したときに、下特別始動口１６ｂを所定時間、所定回数だけ開放するように構成されている。
【００２１】
特別図柄表示手段２５は、特別図柄始動手段１６の特別始動口１６ａ，１６ｂの何れかに遊技球が入賞することを条件に特別図柄を所定時間変動させ、特別始動口１６ａ，１６ｂへの入賞時に取得された大当たり判定乱数値が予め定められた大当たり判定値と一致する場合には所定の大当たり態様で、それ以外の場合には外れ態様で停止させるようになっている。
【００２２】
演出図柄表示手段２６は、例えば特別図柄表示手段２５による特別図柄の変動表示と並行して演出図柄を変動表示するもので、１個又は複数個、例えば左右方向に３個の演出図柄を各種の演出画像と共に画像表示手段２１上で変動表示可能に構成されており、特別図柄始動手段１６の特別始動口１６ａ，１６ｂの何れかに遊技球が入賞することを条件に特別図柄の変動開始と同時に所定の変動パターンに従って演出図柄の変動を開始すると共に、特別図柄の変動停止と同時に最終停止するように、演出図柄を左、右、中等の所定の順序で停止させるようになっている。
【００２３】
大入賞手段１７は、遊技球が入賞可能な開状態と入賞不可能な閉状態とに切り換え可能な開閉式入賞手段で、特別図柄表示手段２５の変動後の停止図柄が大当たり態様となることに基づいて特別利益状態が発生したときに所定の開放パターンに従って開放し、その上に落下した遊技球を内部へと入賞させるようになっている。
【００２４】
また内枠３には、遊技盤装着枠６の前側に対応するガラス扉（扉体）３１と、下セット板７の前側に対応する下開閉扉（下部構造体）３２とが上下に隣接して配置され、内枠３用のヒンジ手段８と同一側（ここでは左端側）に配置されたヒンジ手段３３，３４により内枠３に対して着脱、開閉自在に枢着されている。
【００２５】
ガラス扉３１は遊技盤１２の前面側を覆う矩形状で、図１〜図４等に示すように、遊技盤１２の遊技領域１２ａを透視可能な窓孔を有し且つその左右方向一端側がヒンジ手段３３により支持される板金製の扉枠３５と、この扉枠３５の前側に装着された合成樹脂製の化粧カバー３６と、扉枠３５の裏側に装着されたガラスユニット３７とを備え、閉状態のときに扉枠３５の外縁側が内枠３の外周枠５の前側に略当接し、ガラスユニット３７が遊技盤１２のガイドレール１３の前側に近接して遊技領域１２ａを前側から略閉鎖するようになっている。例えば扉枠３５の下縁部は後ろ向きに折り曲げられ（図４）、上係合部３５ａを形成している。また、ガラス扉３１は施錠手段９により内枠３に対して閉状態でロックされ、例えば内枠３の外枠２に対する解錠時とは異なる方向へのキー操作（所定の解錠操作）によりそのロックを解除可能となっている。
【００２６】
下開閉扉３２は、図１〜図４等に示すように、下セット板７の前側を覆う横長矩形状に形成され且つその左右方向一端側がヒンジ手段３４により支持される台板４１と、この台板４１の前側上部に配置され且つ発射手段１０に供給するための遊技球を貯留する上貯留皿４２と、台板４１の前側下部に配置され且つ例えば上貯留皿４２が満杯状態のときの余剰球を貯留する下貯留皿４３と、台板４１の例えば右端側に前向き突出状に設けられ且つ発射手段１０を作動させるための発射ハンドル４４と、台板４１、上貯留皿４２、下貯留皿４３等を前側から覆う化粧カバー４５と、台板４１の裏側に配置され且つ発射手段１０の発射動作に連動して上貯留皿４２からの遊技球を１個ずつ発射手段１０へと供給する球送り手段４６とを備えている。
【００２７】
台板４１は合成樹脂製で、払出手段（図示省略）から払い出された遊技球を上貯留皿４２に排出するための払い出し案内樋４７（図２）が例えば左端側上部に、上貯留皿４２内の遊技球を球送り手段４６に供給するための球送り口（図示省略）が例えば左右方向略中央に配置されている。台板４１の背面側には板金製の補強板４８が着脱自在に装着されており、その補強板４８の上縁部には、台板４１の上縁側に沿って下係合部４８ａが設けられている。この下係合部４８ａは、図４に示すように台板４１の上縁側よりも若干上側に突出した位置で補強板４８の上縁部を前向きに折り曲げることにより形成されており、ガラス扉３１を閉じたとき、ガラス扉３１側の上係合部３５ａがこの下係合部４８ａに前側から係合して、下開閉扉３２の開方向への移動が規制されるようになっている。
【００２８】
即ち、下開閉扉３２は、ガラス扉３１が閉じた状態では開くことができず、キー操作によってガラス扉３１のロックが解除され、ガラス扉３１が開かれることによって初めて開放可能な状態となる。
【００２９】
上貯留皿４２は、図３に示すように平面視で横長状の半楕円形で、例えば台板４１の前側上部に一体に形成されている。上貯留皿４２内には、払い出し案内樋４７から前向きに排出された遊技球を貯留すると共にそれら遊技球を台板４１上の球送り口を経て球送り手段４６に供給する球貯留部４９と、球貯留部４９内の遊技球を下貯留皿４３側に抜き取るための球抜き操作部５０が設けられた内操作パネル部５１とが例えば左右に隣接して配置されている。
【００３０】
内操作パネル部５１は、上貯留皿４２の右端側の縁部と、球貯留部４９の右端側の縁部と、その後側の台板４１とで囲まれた領域に設けられ、その上面５１ａを覆うように内操作パネルカバー（離脱阻止手段）５２が着脱自在に装着されている（図９等）。内操作パネル部５１上には、図８等に示すように例えばその略中央に球抜き操作部５０が配置されると共に、内操作パネルカバー５２をねじ止め固定するための一又は複数（ここでは２つ）のパネル固定基部５３が台板４１の前側近傍に、後述する操作ユニット５４をねじ止め固定するための一又は複数（ここでは２つ）の操作ユニット固定基部５５が上貯留皿４２の外縁部近傍に、内操作パネルカバー５２を位置決めするための一又は複数（ここでは２つ）の位置決め突起５６が例えば前後方向の中央部近傍に夫々配置されている。
【００３１】
なお、上貯留皿４２の外周面上には、内操作パネル部５１内に向けて凹入する例えば平面視円弧状の切欠部５７が形成されており、操作ユニット固定基部５５はその切欠部５７の近傍に設けられている。
【００３２】
内操作パネルカバー５２は、図６，図９等に示すように、操作ユニット固定基部５５を含む内操作パネル部５１の上面５１ａの略全体を覆う形状に形成されており、その略中央には球抜き操作部５０に対応する貫通孔５８が、台板４１側の後縁部近傍にはパネル固定基部５３に対応するねじ挿通孔５９が、例えば前端側には固定係合部６０が、下面側には位置決め突起５６に対応する位置決め凹部６１が夫々設けられている。なお、固定係合部６０は、例えば内操作パネル部５１側の切欠部５７に対応する切欠部６２に沿って外向き突起状に形成されている。
【００３３】
内操作パネルカバー５２は、その前端側の固定係合部６０を、後述する操作ユニット５４上に設けられた係合凹部６３（図７）に係合させ、固定ねじ（固定手段）６４を、後端側のねじ挿通孔５９を介してパネル固定基部５３に下向きにねじ込むことにより内操作パネル部５１に着脱自在に固定されるようになっている（図４，図９）。ここで、ねじ挿通孔５９は、例えば全てが台板４１の前側近傍に配置されており、図４等に示すように、ガラス扉３１を閉じた状態ではねじ挿通孔５９に装着された固定ねじ６４の頭部（解除操作部）６４ａがガラス扉３１の化粧カバー３６の下端面（所定部位）３６ａによって操作不可能な状態に覆われるようになっている。即ち、内操作パネル部５１に固定された内操作パネルカバー５２は、ガラス扉３１を閉じた状態では固定ねじ６４を操作することができないために内操作パネル部５１から取り外すことはできないが、ガラス扉３１を開けば、固定ねじ６４の頭部６４ａの上側が開放されて操作可能となり、内操作パネル部５１から取り外すことが可能となる。
【００３４】
化粧カバー４５は、図１等に示すように、上貯留皿４２を覆う上皿カバー部７１、下貯留皿４３を覆う下皿カバー部７２、上皿カバー部７１と下皿カバー部７２とを下貯留皿４３の左右両側で連結する連結カバー部７３，７４等を例えば一体に備え、台板４１の前側に着脱自在に固定されている。
【００３５】
上皿カバー部７１は、図３〜図５等に示すように、上貯留皿４２の縁部に沿ってその外側に配置される略平坦な上壁部７５と、この上壁部７５の外縁部から下側に屈曲し且つ上貯留皿４２を前側から覆う周壁部７６と、この周壁部７６の下縁部から後ろ向きに屈曲し且つ上貯留皿４２を下側から覆う下壁部７７とを備えている。
【００３６】
上皿カバー部７１の上壁部７５上には、例えば右端側にＣＲ操作パネル７８が配置され、また左右方向略中央に第１チャンスボタン（操作手段）７９が、例えばその第１チャンスボタン７９の左側に第２チャンスボタン８０が、第１チャンスボタン７９の右側に十字キー（操作手段）８１が夫々配置されている。ＣＲ操作パネル７８は、遊技機本体１に隣接するＣＲユニット（図示省略）を操作するためのもので、残高表示部８２、球貸しボタン８３、返却ボタン８４等を備えている。
【００３７】
第１チャンスボタン７９、第２チャンスボタン８０及び十字キー８１は、例えば演出図柄表示手段２６による図柄変動中に実行されるボタン演出等において用いられるもので、例えばボタン演出中に画像表示手段２１上に表示される指示に従って遊技者が所定の操作を行うことにより、その操作内容に応じた演出が実行されるようになっている。なお、十字キー８１は、図６，図７等に示すように例えば上下左右の四方向に対応する四つの移動ボタン８５ａ〜８５ｄと、それら移動ボタン８５ａ〜８５ｄの間に配置される決定ボタン８６とで構成されており、図柄変動中の演出に使用されるだけでなく、例えばデモ中等に行われる演出モードの選択等に用いることも可能である。
【００３８】
それら第１チャンスボタン７９、第２チャンスボタン８０及び十字キー８１のうち、中央の第１チャンスボタン７９とその右側の十字キー８１とは、一つの操作ユニット５４上に設けられている。操作ユニット５４は、図６，図７等に示すように、第１チャンスボタン７９を備えたチャンスボタンユニット（個別ユニット）８８と、十字キー８１を備えた十字キーユニット（個別ユニット）８９と、それらチャンスボタンユニット８８と十字キーユニット８９とを互いに連結する連結部材９０とで構成され、上皿カバー部７１上に設けられた操作ユニット収容部９１（図８等）内に着脱自在に装着されている。
【００３９】
チャンスボタンユニット８８は、例えば略円筒状の周壁を有するチャンスボタンケース９２を備え、このチャンスボタンケース９２内の上端側には第１チャンスボタン７９が上向きに弾性付勢された状態で装着され、下端側にはチャンスボタン基板９３が装着されている。このチャンスボタン基板９３には、第１チャンスボタン７９が押圧操作されたことを検出する検出スイッチ、ＬＥＤ等（図示省略）が上面側に装着され、また下面側には演出制御基板等に接続するためのチャンスボタン側コネクタ９３ａが装着されている。また、チャンスボタンケース９２には、連結部材９０に固定するための一又は複数（ここでは二つ）の固定フランジ９４が例えば外周面上に、操作ユニット収容部９１に固定するための一又は複数（ここでは二つ）の固定基部９５が例えば下端部に、夫々一体に設けられている。
【００４０】
十字キーユニット８９は、例えば略円筒状の十字キーケース９６を備え、この十字キーケース９６内の上端側には十字キー８１が装着され、下端側には十字キー基板９７が装着されている。この十字キー基板９７には、十字キー８１の移動ボタン８５ａ〜８５ｄ及び決定ボタン８６が押圧操作されたことを個別に検出する検出スイッチ、ＬＥＤ等（図示省略）が上面側に装着され、また下面側には演出制御基板等に接続するための十字キー側コネクタ９７ａが装着されている。また、十字キーケース９６には、連結部材９０に固定するための一又は複数（ここでは一つ）の第１固定フランジ９８と、内操作パネル部５１の操作ユニット固定基部５５に固定するための一又は複数（ここでは二つ）の第２固定フランジ９９と、内操作パネルカバー５２上の固定係合部６０が係合可能な係合凹部６３とが例えば外周面上に設けられている。
【００４１】
連結部材９０は、上皿カバー部７１の上壁部７５の一部を構成する板状部材で、その一端側（ここでは左端側）にチャンスボタンユニット８８を装着するためのチャンスボタンユニット装着部１０１が、他端側（ここでは右端側）に十字キーユニット８９を装着するための十字キーユニット装着部１０２が夫々設けられている。チャンスボタンユニット装着部１０１及び十字キーユニット装着部１０２は、夫々チャンスボタンユニット８８、十字キーユニット８９の外周形状と合致する切欠状に形成されている。また、例えば連結部材９０の下面側には、チャンスボタンユニット８８上の固定フランジ９４に対応するチャンスボタンユニット固定基部１０３と、十字キーユニット８９上の第１固定フランジ９８に対応する十字キーユニット固定基部１０４とが、夫々チャンスボタンユニット装着部１０１、十字キーユニット装着部１０２の各近傍に設けられている。
【００４２】
チャンスボタンユニット８８は、その外周面をチャンスボタンユニット装着部１０１に沿わせた状態で固定フランジ９４をチャンスボタンユニット固定基部１０３に対して下側からねじ止めすることにより連結部材９０に固定され、また十字キーユニット８９は、その外周面を十字キーユニット装着部１０２に沿わせた状態で第１固定フランジ９８を十字キーユニット固定基部１０４に対して下側からねじ止めすることにより連結部材９０に固定されている。
【００４３】
操作ユニット収容部９１は、操作ユニット５４を収容可能な凹入状で、図４，図８等に示すように例えば上皿カバー部７１の上壁部７５上に上向き開放状に設けられている。この操作ユニット収容部９１のうち、例えば十字キーユニット８９に対応する十字キーユニット収容部９１ａが内操作パネル部５１側に張り出しており、上貯留皿４２の外周面上に設けられた切欠部５７はこの十字キーユニット収容部９１ａの周壁の一部を構成している。
【００４４】
また、例えば操作ユニット収容部９１の底面上にはねじ挿通孔１０５が設けられており、操作ユニット収容部９１に操作ユニット５４を収容したとき、チャンスボタンユニット８８上の固定基部９５がねじ挿通孔１０５に、十字キーユニット８９上の第２固定フランジ９９が内操作パネル部５１上の操作ユニット固定基部５５に夫々合致すると共に、十字キーユニット８９の外周面上に設けられた係合凹部６３が内操作パネル部５１側に向くようになっている。なお、図４，図５に示すように、上皿カバー部７１の下壁部７７には、ねじ挿通孔１０５の下側に対応して操作孔１０６が形成されている。
【００４５】
また、操作ユニット収容部９１内には、チャンスボタンユニット８８上のチャンスボタン側コネクタ９３ａ、十字キーユニット８９上の十字キー側コネクタ９７ａに夫々接続されるハーネス側コネクタ１０７，１０８（図７）が引き出されているものとする。なお、操作ユニット収容部９１の底面上にチャンスボタン側コネクタ９３ａ、十字キー側コネクタ９７ａに対応するコネクタを固定し、操作ユニット５４の着脱時にコネクタ同士が自動的に着脱されるようにしてもよい。
【００４６】
以下、操作ユニット５４を下開閉扉３２に対して着脱する際の手順を具体的に説明する。操作ユニット５４を下開閉扉３２上に取り付ける際には、予めチャンスボタンユニット８８と十字キーユニット８９とを夫々連結部材９０にねじ止めすることによって操作ユニット５４を組み立てておく（図６〜図８）。そして、操作ユニット収容部９１内に引き出されているハーネス側コネクタ１０７，１０８（図７）を、チャンスボタン側コネクタ９３ａ、十字キー側コネクタ９７ａに夫々接続すると共に、その操作ユニット５４を操作ユニット収容部９１内に収容する（図８）。
【００４７】
次に、固定ねじ１１１を上皿カバー部７１の下側から操作孔１０６、ねじ挿通孔１０５を介して固定基部９５にねじ込むことにより、チャンスボタンユニット８８を操作ユニット収容部９１に固定し、また固定ねじ１１２を内操作パネル部５１の上側から第２固定フランジ９９を介して操作ユニット固定基部５５にねじ込むことにより、十字キーユニット８９を内操作パネル部５１に固定する（図８〜図９）。
【００４８】
続いて、内操作パネルカバー５２を内操作パネル部５１上に装着する（図９〜図１０）。即ち、前端側の固定係合部６０を十字キーユニット８９の外周面上の係合凹部６３（図７）に係合させ、貫通孔５８に球抜き操作部５０を挿通させつつ、また位置決め突起５６を位置決め凹部６１に嵌合させつつ、内操作パネルカバー５２を内操作パネル部５１上に載置する。これにより、チャンスボタンユニット８８の第２固定フランジ９９を操作ユニット固定基部５５に固定している固定ねじ（操作ユニット固定手段）１１２を含む内操作パネル部５１の上面５１ａの略全体が内操作パネルカバー５２により上側から覆われた状態となる。そしてその状態で、固定ねじ６４を、ねじ挿通孔５９を介してパネル固定基部５３に下向きにねじ込むことによって内操作パネルカバー５２を内操作パネル部５１上に固定すれば、下開閉扉３２への操作ユニット５４の取り付けは完了する。
【００４９】
以上のような手順で下開閉扉３２に装着された操作ユニット５４は、固定ねじ１１１，１１２による固定を解除しなければ取り外すことはできないが、固定ねじ（操作ユニット固定手段）１１２についてはその頭部（解除操作部）１１２ａが内操作パネルカバー５２によって覆われているため（図４，図１０）、この固定ねじ１１２による固定を解除するためにはまず内操作パネルカバー５２を取り外す必要がある。
【００５０】
一方、下開閉扉３２とガラス扉３１とを内枠３に対して閉じた状態では、内操作パネルカバー５２の後端側を固定している固定ねじ６４の頭部６４ａがガラス扉３１の化粧カバー３６の下端面（所定部位）３６ａによって操作不可能な状態に覆われるようになっている（図４，図１０）。更に、下開閉扉３２は、ガラス扉３１を閉じた状態では開くことができない。
【００５１】
即ち、ガラス扉３１を閉じた状態では、固定ねじ６４による固定を解除することができないために内操作パネルカバー５２を取り外すことができず、また内操作パネルカバー５２を取り外さなければ固定ねじ１１２による操作ユニット５４の固定を解除することができないため、結局操作ユニット５４を取り外すことはできない。従って、ガラス扉３１のロックを解除することができない一般の遊技者等が操作ユニット５４を無断で取り外すことはできず、そのようないたずらを確実に防止できる。
【００５２】
また、操作ユニット５４は、チャンスボタンユニット８８と十字キーユニット８９とが連結部材９０により互いに連結されているが、それらの連結・固定部分は操作ユニット５４の下側に設けられているため、操作ユニット５４が操作ユニット収容部９１に装着された状態ではそれらチャンスボタンユニット８８、十字キーユニット８９を個別に取り外すことはできない。即ち、ガラス扉３１のロックを解除することができない一般の遊技者等が、チャンスボタンユニット８８のみ、或いは十字キーユニット８９のみを取り外すことも不可能である。
【００５３】
内操作パネルカバー５２の後端側を固定している固定ねじ６４は、ガラス扉３１を前側に開放することによってその頭部６４ａの上側が開放され、解除操作可能な状態となるため、ガラス扉３１のロックを解除することができる関係者であれば、取り付けとは逆の手順で操作ユニット５４を容易に取り外すことができる。
【００５４】
また、操作ユニット５４は、チャンスボタンユニット８８と十字キーユニット８９とが連結部材９０により連結された構成となっているため、操作ユニット５４全体を取り替えることはもちろん、チャンスボタンユニット８８と十字キーユニット８９との何れか一方のみを取り替えることも可能である。
【００５５】
以上説明したように、本実施形態のパチンコ機では、ガラス扉（扉体）３１を閉じた状態では操作ユニット５４の下開閉扉（下部構造体）３２への装着状態を解除できず、ガラス扉３１を開くことによって操作ユニット５４の下開閉扉３２への装着状態を解除可能となるように構成されているため、関係者のみが操作ユニット５４を容易に着脱することが可能となり、一般の遊技者等が操作ユニットを取り外して持ち帰る行為を未然に防止できる。
【００５６】
また、操作ユニット５４を下開閉扉３２に固定する固定ねじ（操作ユニット固定手段）１１２の頭部（解除操作部）１１２ａを内操作パネルカバー（離脱阻止手段）５２で覆い、その内操作パネルカバー５２を下開閉扉３２に固定する固定ねじ（固定手段）６４の頭部（解除操作部）６４ａを、ガラス扉３１を閉じた状態ではそのガラス扉３１によって操作不可能な状態に覆われ、ガラス扉３１を開いた状態では操作可能な状態となる位置に配置しているため、操作ユニット５４の着脱を許容する対象を、ガラス扉３１を解錠することが可能な関係者のみに限定できる。
【００５７】
また、操作ユニット５４は、第１チャンスボタン（操作手段）７９を備えたチャンスボタンユニット（個別ユニット）８８と、十字キー（操作手段）８１を備えた十字キーユニット８９と、それらを互いに連結する連結部材９０とで構成されており、チャンスボタンユニット（個別ユニット）８８と十字キーユニット８９とは連結部材９０に対して個別に着脱自在に固定されているため、操作ユニット５４全体を交換することはもちろん、チャンスボタンユニット（個別ユニット）８８のみ、或いは十字キーユニット８９のみを交換することも容易である。
【００５８】
図１１は本発明の第２の実施形態を例示し、第１の実施形態における内操作パネルカバー（離脱阻止手段）５２を固定する固定手段を、固定ねじ６４から係合手段１２１に変更した例を示している。
【００５９】
係合手段１２１は、内操作パネル部５１上における台板４１の近傍に例えば上向きに配置された係合片１２２と、内操作パネルカバー（離脱阻止手段）５２の後端側に係合片１２２に対応して設けられた例えば開口状の被係合部１２３とで構成されている。
【００６０】
係合片１２２は、内操作パネルカバー（離脱阻止手段）５２が内操作パネル部５１上に装着されたときにその内操作パネル部５１上の被係合部１２３に係脱自在に係合して内操作パネルカバー５２の離脱を阻止する係合爪１２２ａをその先端側（上端側）に備えている。この係合片１２２は、内操作パネルカバー５２の上側から係合爪（解除操作部）１２２ａを弾性変形させることにより内操作パネルカバー５２への係合を解除することが可能となっている。
【００６１】
また、この係合片１２２の係合爪１２２ａは、ガラス扉３１を閉じた状態ではガラス扉３１の化粧カバー３６の下端面（所定部位）３６ａによって操作不可能な状態に覆われるようになっている。即ち、内操作パネル部５１に固定された内操作パネルカバー５２は、ガラス扉３１を閉じた状態では係合爪１２２ａを操作することができないために内操作パネル部５１から取り外すことはできないが、ガラス扉３１を開けば、係合爪１２２ａの上側が開放されて操作可能となり、内操作パネル部５１から取り外すことが可能となる。
【００６２】
このように、離脱阻止手段を固定する固定手段は、所定の解除操作部を操作することにより解除可能な状態に固定するものであればよく、ねじに限られるものではない。またこれは、操作ユニット５４を固定する操作ユニット固定手段（例えば第１の実施形態における固定ねじ１１２）についても同様である。
【００６３】
以上、本発明の実施形態について詳述したが、本発明はこれらの実施形態に限定されるものではなく、本発明の趣旨を逸脱しない範囲で種々の変更が可能である。例えば、実施形態では、操作ユニット５４を下開閉扉３２に固定する固定ねじ（操作ユニット固定手段）１１２の頭部（解除操作部）１１２ａを内操作パネルカバー（離脱阻止手段）５２で覆い、その内操作パネルカバー５２を下開閉扉３２に固定する固定ねじ（固定手段）６４の頭部（解除操作部）６４ａを、ガラス扉３１を閉じた状態ではそのガラス扉３１によって操作不可能な状態に覆われる位置に配置した例を示したが、操作ユニット５４を固定する固定手段（例えば第１の実施形態における固定ねじ１１２）を、ガラス扉３１を閉じた状態ではそのガラス扉３１によって操作不可能な状態に覆われる位置に配置してもよい。
【００６４】
実施形態では操作ユニット５４上に二つの操作手段７９，８１を配置した例を示したが、一つの操作ユニット５４上に配置する操作手段の数は一つでもよいし三つ以上でもよい。
【００６５】
実施形態ではガラス扉（扉体）３１と下開閉扉（下部構造体）３２とが上下に隣接して配置され、下開閉扉３２上に操作ユニット５４を装着した例を示したが、スロットマシンのように前面パネル全体が本体ケースに対して一体的に開閉するような構成の場合には、その前面パネル（扉体）上に操作ユニットを装着し、前面パネルを閉じた状態では操作ユニットの装着状態を解除できず、前面パネルを開くことによって操作ユニットの装着状態を解除可能となるように構成すればよい。
【００６６】
この場合、例えば操作ユニットの前面パネルからの離脱を阻止する離脱阻止手段及び／又は操作ユニットを固定ねじ等の固定手段により前面パネルに固定し、その固定手段のうちの少なくとも一つにおける解除操作部が、前面パネルを閉じた状態では例えば本体ケース上の所定部位によって操作不可能な状態に覆われ、前面パネルを開いた状態ではその所定部位から離れて操作可能な状態となる位置に配置すればよい。
【符号の説明】
【００６７】
１    遊技機本体
３１    ガラス扉（扉体）
３２    下開閉扉（下部構造体）
３６ａ  （化粧カバーの下端面）所定部位
５２    内操作パネルカバー（離脱阻止手段）
５４    操作ユニット
６４    固定ねじ（固定手段）
６４ａ  固定ねじ頭部（解除操作部）
７９    第１チャンスボタン（操作手段）
８１    十字キー（操作手段）
８８    チャンスボタンユニット（個別ユニット）
８９    十字キーユニット（個別ユニット）
９０    連結部材
１１２    固定ねじ（操作ユニット固定手段）
１１２ａ  固定ねじ頭部（解除操作部）
【図１】
0005324631.tif 000002
【図２】
0005324631.tif 000003
【図３】
0005324631.tif 000004
【図４】
0005324631.tif 000005
【図５】
0005324631.tif 000006
【図６】
0005324631.tif 000007
【図７】
0005324631.tif 000008
【図８】
0005324631.tif 000009
【図９】
0005324631.tif 000010
【図１０】
0005324631.tif 000011
【図１１】
0005324631.tif 000012